(57)【要約】【課題】印影のズレ等の押し損じを防ぐことができ、指先に自信のない人でも安心、確実に押印することができる印鑑の押印補助台を提供する。【解決手段】台本体２と、台本体２の前面に取り付け、上下方向に案内可能とした案内手段３と、この案内手段３の前方に取り付け、押印待機姿勢の印鑑１１を着脱可能に保持することのできる保持手段４と、案内手段３を吊り下げ、自身の弾性引張り力に抗して案内手段３の押し下げ操作を許容する吊下げ手段５とを具備する。【選択図】図１
0003111051.tif 000002
【実用新案登録請求の範囲】
【請求項１】
台本体と、台本体の前面に取り付けられ、上下方向に案内可能とされた案内手段と、この案内手段の前方に取り付けられ、押印待機姿勢の印鑑を着脱可能に保持することのできる保持手段と、前記案内板を吊り下げ、自身の弾性引張り力に抗して案内手段の押し下げ操作を許容する吊下げ手段とを具備してなることを特徴とする印鑑の押印補助台。
【請求項２】
台本体は、天板および底板とその間の四隅の支柱とからなり、案内手段は、台本体の前面側の左右２本の支柱に沿って案内される案内溝を備える案内板からなることを特徴とする請求項１記載の印鑑の押印補助台。
【請求項３】
底板の四隅には滑り止め用の脚部が設けられていることを特徴とする請求項２記載の印鑑の押印補助台。
【請求項４】
天板および底板の各前面には切り欠き部がそれぞれ設けられ、平面視して切り欠き部の内部空間に押印待機姿勢の印鑑の一部又は全部が位置するようにしたことを特徴とする請求項２または請求項３記載の押印補助台。
【請求項５】
吊下げ手段は、一端が天板側に他端が案内板側にそれぞれ取り付けられたばね部材からなることを特徴とする請求項１ないし請求項４記載の押印補助台。
【請求項６】
吊下げ手段は、一端が天板側に他端が案内板側にそれぞれ取り付けられたゴム紐部材からなることを特徴とする請求項請求項１ないし請求項４記載の押印補助台。
【考案の詳細な説明】
【技術分野】
【０００１】
本考案は、押印時の押印むらがなく、正確で綺麗な印影を得ることのできる、印鑑の押印補助台に関する。
【背景技術】
【０００２】
一般に印鑑を使って押印するには、印面の天地を確かめて、朱肉を印面に付けた印鑑を紙面に対し垂直に持ち、所定の押印場所に真っ直ぐ降ろして、正確に押印するようにしている。そのための補助具が知られている（特許文献１）。また、通常は紙を硬い面の上に置かず、ゴム製敷物などの、ある程度柔らかい表面の上に置いて押印するが、印鑑を紙面に対し均等に押圧するのは難しい。特に丸型の印鑑は、その傾向が強く、鮮明な印影を出すために、左右、上下ないし回しながら強く押印するようにしている。
【０００３】
【特許文献１】特開２０００−２５３１８号
【考案の開示】
【考案が解決しようとする課題】
【０００４】
しかしながら、鮮明な印影を出すために、強く押印しようとすると、朱肉には多量の油脂を含むため、横にすべり易く、印影のズレ等の押し損じを生じやすい。また、重要書類等への押印に慣れていない場合は、緊張のあまり、指先が震えることもあり、その場合も、印影印のズレ等の原因となりやすい。さらには、手の不自由な人や高齢者などで指先に自信のない人が安心して押印することのできる補助器具の実現が要望されている。
【０００５】
本考案は上記問題点に鑑みてなされたもので、印影のズレ等の押し損じを防ぐことができ、指先に自信のない人でも安心、確実に押印することができる印鑑の押印補助台を提供することを目的とする。
【課題を解決するための手段】
【０００６】
上記課題を解決するために、本考案の請求項１に係る印鑑の押印補助台は、台本体と、台本体の前面に取り付け、上下方向に案内可能とした案内手段と、この案内手段の前方に取り付け、押印待機姿勢の印鑑を着脱可能に保持することのできる保持手段と、前記案内手段を吊り下げ、自身の弾性引張り力に抗して案内手段の押し下げ操作を許容する吊下げ手段とを具備してなることを特徴とする。
【０００７】
台本体の前面に案内手段を取り付け、案内手段の前方に保持手段を取り付け、保持手段に押印待機姿勢の印鑑を保持するようにしたから、安定性のある姿勢で、印鑑を紙面に対し真っ直ぐ上下方向に案内して、印影のズレ等を生じさせることなく、正確に押印することができる。手で印鑑を持つ必要がないから、力を入れて横にすべらせたり、指先が震えて、印影のズレ等を生じさせることがない。
【０００８】
案内手段は、吊下げ手段により吊下げられ、吊下げ手段の弾性引張り力に抗して手で押し下げ操作できるから、印鑑の押印操作が非常に楽であり、押印後に案内手段から手を離せば、吊下げ手段の復帰力によって案内手段が元の高さに復帰して、印鑑を元の押印待機姿勢に戻すことができる。
【０００９】
本考案の請求項２に係る印鑑の押印補助台は、台本体が、天板および底板とその間の四隅の支柱とからなり、案内手段が、台本体の前面側の左右２本の支柱に沿って案内される案内溝を備える案内板からなることを特徴とする。
【００１０】
台本体が箱型の構造となるので、安定性のある姿勢をとることができる。手の不自由な人や高齢者などで指先に自信のない人も安心して押印操作をすることができる。
【００１１】
本考案の請求項３に係る印鑑の押印補助台は、底板の四隅に滑り止め用の脚部を設けたことを特徴とする。
【００１２】
押印補助台をより安定性のあるものとすることができる。
【００１３】
本考案の請求項４に係る印鑑の押印補助台は、天板および底板の各前面に切り欠き部をそれぞれ設け、平面視して切り欠き部の内部空間に押印待機姿勢の印鑑の一部又は全部が位置することを特徴とする。
【００１４】
平面視して切り欠き部の内部空間に押印待機姿勢の印鑑の一部又は全部が位置するから、押印補助台がよりコンパクトなものとする。
【００１５】
本考案の請求項５に係る印鑑の押印補助台は、吊下げ手段が、一端が天板側に他端が案内板側にそれぞれ取り付けられたばね部材からなることを特徴とする。
【００１６】
ばね部材とすることで、安定した押し下げ力を得ることができる。ばね部材としてはスプリング等が考えられる。
【００１７】
本考案の請求項６に係る印鑑の押印補助台は、吊下げ手段が、一端が天板側に他端が案内板側にそれぞれ取り付けられたゴム紐部材からなることを特徴とする。
【００１８】
安価なゴム紐部材を利用することで、製作費用の低廉化を図ることができる。
【考案の効果】
【００１９】
以上説明したように、本考案に係る印鑑の押印補助台によると、安定性のある姿勢で、印鑑を紙面に対し真っ直ぐ上下方向に案内して、印影のズレ等を生じさせることなく、正確に押印することができる効果を奏する。また、手で印鑑を持つ必要がないから、力を入れて横にすべらせたり、指先が震えて、印影のズレ等を生じさせることもない。
【考案を実施するための最良の形態】
【００２０】
本考案を実施するための最良の形態を図１ないし図３を参照して説明する。図１に示すように、本考案の押印補助台１は、台本体２と、案内手段３と、保持手段４と、吊下げ手段５とから基本構成されている。
【００２１】
台本体２は、平面視していずれも四角形状の天板６および底板７と、その間の四隅に配置される支柱８，８・・・とから構成される箱型の構造をしている。各構成部品はいずれも金属からなり、台本体２を平らな面の上に置いて安定性を得る程度の重さ（数１００ｇ）を有している。
【００２２】
天板６および底板７の各前面には円弧状の切り欠き部６ａ，７ａがそれぞれ設けられている。この切り欠き部６ａ，７ａは、後述する押印待機姿勢の印鑑１１との干渉を避ける空南であり、上面視してその内部空間に押印待機姿勢の印鑑１１の一部が位置するようになっている。
【００２３】
底板７の裏面の四隅には、図３に示すように、印鑑１１の押印操作時に台本体２が動かないようにするための滑り止め用の薄いゴム板から脚部９が設けられている。
【００２４】
案内手段３は、台本体２の前面に取り付けられ、上下方向に案内可能とされるもので、台本体２の前面側の左右２本の支柱８，８に沿って上下方向に案内される案内溝１０ａ，１０ａを両側に備える案内板１０から構成されている。この案内板１０の前記案内溝１０ａ，１０ａは対応する前記支柱８，８に外挿されている。
【００２５】
保持手段４は、案内手段３の前方に取り付けられ、押印待機姿勢の丸型の印鑑１１を着脱可能に保持することのできるもので、案内板１０の前面に取り付けられるクリップ本体１２からなる。このクリップ本体１２は、印鑑１１を保持する一方の保持爪１３ａを先端に備えて案内板１０の前面に固定される固定板１３と、印鑑１１を保持する他方の保持爪１４ａを先端に備えて固定板１３に対し、垂直軸回りに軸ピン１４ｂ回りに回動可能に軸支された回動板１４とから構成されている。
【００２６】
そして、固定板１３と回動板１４との間に介在された図示しないばね部材によって固定板１３側の保持爪１３ａに対し回動板１４側の保持爪１４ａを常時付勢し、その状態で押印待機姿勢の印鑑１１を固定状態に保持するようになっている。回動板１４の後端にはばね部材の付勢力に抗して親指で押圧して保持爪１４ａを開方向に回動させる押圧操作片１４ｃが突設されている。なお、保持爪１３ａ，１４ａによる保持力は、案内板１０を押し下げて押印するときに、印鑑１１が保持爪１３ａ，１４ａからずれが生じない程度の力があればよい。
【００２７】
吊下げ手段５は、案内手段３を吊り下げ、自身の弾性引張り力に抗して案内手段３の押し下げ操作を許容するもので、案内板１０の上端と天板６の下面との間の支柱８，８に外挿されたばね部材であるスプリング１５，１５から構成されている。各スプリング１５の上端は天板６の下面に取り付けられ、下端は案内板の上部にそれぞれ取り付けられている。
【００２８】
次ぎに、以上のように構成された印鑑の押印補助台１の使用方法について説明する。
【００２９】
クリップ本体１２の押圧操作片１４ｃを親指等で押圧して保持爪１４ａを開き、保持爪１４ａと保持爪１３ａとの間に印鑑１１を押印待機姿勢に配置し、押圧操作片１４ｃから親指等を離して印鑑１１を保持爪１３ａ，１４ａで保持し固定する。印鑑１１の高さ位置は、印鑑１１の下面の印影部分から紙面までの高さＨを１．５ｃｍ〜３ｃｍ程度に設定する。
【００３０】
クリップ本体１２で保持した印鑑１１の印影部分に朱肉を付着させるには、台本体２の底板７の切欠き部７ａに朱肉台を置き、案内板１０を押し下げて、印鑑１１の印影部分に朱肉を付着させればよい。あるいは、台本体２を９０度倒して、印鑑１１を横向き姿勢とし、そこに朱肉台を押し当てて朱肉を付着させるようにしてもよい。            
【００３１】
印鑑１１の印影部分に朱肉を付着させたら、押印対象の紙面の上に台本体２を載せる。印鑑１１の高さ位置を、印鑑１１の下面の印影部分から紙面までの高さＨを１．５ｃｍ〜３ｃｍ程度に設定するから、紙面の押印位置を容易に割り出すことができる。紙面の下には布やゴム製の下敷きを置いて押印すると、印影がより鮮明となる。
【００３２】
スプリング１５の弾性引張り力に抗して、案内板１０を押し下げると、押印待機姿勢の印鑑１１が案内板１０とともに下降し、紙面の所定の押印位置に押し付けられ、押印が完了する。
【００３３】
押印完了後、案内板１０から手を離すと、スプリング１５の復元力により、案内板１０は元の高さまで自動的に復帰し、紙面から印鑑１１が離れる。
【００３４】
以上の実施形態では、丸型の印鑑１１を適用したが、角型の印鑑を適用する場合には、保持爪１３ａ，１４ａの形状を角型の印鑑に合致する形状に変えればよい。
【００３５】
図４は、本考案の印鑑の押印補助台の第２の実施形態を示すもので、図中、図１と同一部材には同一符号を付してその説明は省略する。
【００３６】
図４に示す印鑑の押印補助台２０においては、吊下げ手段として、ゴム紐部材２１を使用している。このゴム紐部材２１は、一端２１ａを天板６の後端寄りに設けた貫通穴２２を介して天板６の後端側に取付け、図示しない他端を案内板１０の前面に固定板１３に引っ掛ける等して取り付けている。図１に示す押印補助台１よりも一層簡素な構造とされている。
【００３７】
図５および図６は、本考案の印鑑の押印補助台の第３の実施形態を示すもので、図中、図１と同一部材には同一符号を付してその説明は省略する。
【００３８】
図５および図６に示す印鑑の押印補助台３０においては、印鑑１１の保持手段として、案内板１０の前面に上下一対の固定爪３１ａ，３１ｂを取り付け、この上下の固定爪３１ａ，３１ｂに印鑑１１を押し付けて保持させる保持爪３２ａを先端に有するスライド板３２を案内板１０の前面に対し横行可能に取り付けたものである。
【００３９】
スライド板３２は、案内板１０の前面に取り付けられた上下一対の水平ガイド溝を有するガイド部３３，３３によって案内板１０の前面を横行可能とされている。スライド板３２は、図５に示すスプリングからなるばね部材３４によって常時固定爪３１ａ，３１ｂと保持爪３２ａとの間で印鑑１１を保持するように付勢されている。そのため、ばね部材３４は引張り状態において、その一端がガイド部３３の後端に、他端が後述する戻しレバー３２ｂの前面にそれぞれ取り付けられている。
【００４０】
スライド板３２の後端にはスライド板３２をばね部材３４の引張り力に抗して保持爪３２ａを固定爪３１ａ，３１ｂから開く方向に引き戻す戻しレバー３２ｂを備えている。
【産業上の利用可能性】
【００４１】
本考案の印鑑の押印補助台は、業務用、家庭用等において、幅広く利用することができる。
【図面の簡単な説明】
【００４２】
【図１】本考案の印鑑の押印補助台を示す斜視図、
【図２】図１に示す押印補助台の平面図、
【図３】図１に示す押印補助台の正面図、
【図４】本考案の印鑑の押印補助台の第２の実施形態を示す斜視図、
【図５】本考案の印鑑の押印補助台の第３の実施形態を示す平面図、
【図６】図５に示す押印補助台の正面図である。
【符号の説明】
【００４３】
１，２０，３０  押印補助台
２  台本体
３  案内手段
４  保持手段
５  吊下げ手段
６  天板
６ａ，７ａ  切り欠き部
７  底板
８  支柱
９  脚部
１０  案内板
１０ａ  案内溝
１１  印鑑
１２  クリップ本体
１３  固定板
１３ａ，１４ａ  保持爪
１４  回動板
１４ｂ  軸ピン
１４ｃ  押圧操作片  
１５  スプリング
２１  ゴム紐部材
２２  貫通穴
３１ａ，３１ｂ  固定爪
３２  スライド板
３２ａ  保持爪
３２ｂ  戻しレバー
３３  ガイド部
３４  ばね部材
【図１】
0003111051.tif 000003
【図２】
0003111051.tif 000004
【図３】
0003111051.tif 000005
【図４】
0003111051.tif 000006
【図５】
0003111051.tif 000007
【図６】
0003111051.tif 000008
【手続補正書】
【提出日】平成17年4月13日(2005.4.13)
【手続補正１】
【補正対象書類名】明細書
【補正対象項目名】００３６
【補正方法】変更
【補正の内容】
【００３６】
図４に示す印鑑の押印補助台２０においては、吊下げ手段５として、ゴム紐部材２１を使用している。このゴム紐部材２１は、その一端２１ａを天板６の後端寄りに設けた貫通穴２２を介して天板６の後端側に取付け、図示しない他端を案内板１０の前面に固定板１３に引っ掛ける等して取り付けている。図１に示す押印補助台１よりも一層簡素な構造とされている。
【手続補正２】
【補正対象書類名】明細書
【補正対象項目名】００４３
【補正方法】変更
【補正の内容】
【００４３】
１，２０，３０  押印補助台
２  台本体
３  案内手段
４  保持手段
５  吊下げ手段
６  天板
６ａ，７ａ  切り欠き部
７  底板
８  支柱
９  脚部
１０  案内板
１０ａ  案内溝
１１  印鑑
１２  クリップ本体
１３  固定板
１３ａ，１４ａ，３２ａ  保持爪
１４  回動板
１４ｂ  軸ピン
１４ｃ  押圧操作片  
１５  スプリング
２１  ゴム紐部材
２１ａ ゴム紐部材の一端
２２  貫通穴
３１ａ，３１ｂ  固定爪
３２  スライド板
３２ｂ  戻しレバー
３３  ガイド部
３４  ばね部材
【手続補正３】
【補正対象書類名】図面
【補正対象項目名】図１
【補正方法】変更
【補正の内容】
【図１】
0003111051.tif 000009